(57)【特許請求の範囲】
【請求項１】
画像表示装置の表示画面に表示される画像の複数の色に対して独立して色調整が可能な色調整方法において、
前記表示画面に含まれる複数の領域の各々に対して異なる色情報を有する調整用画像を出力する調整用画像出力過程と、
この調整用画像出力過程で出力された画像により表示された画像全体を取り込み、取り込んだ画像全体から前記各領域の色情報を検出する色情報検出過程と、
この色情報検出過程で検出された各領域の色情報と、対応する各領域の前記調整用画像の色情報の理論値であって所定の補正値により補正された理論値とが等しくなるように色調整を行う色調整過程とを有し、
前記所定の補正値は、前記各領域間で生じる色情報の差分に相当する値であって、前記各領域のすべてに同一色の調整用画像を表示させた場合に所定の一領域を前記調整用画像の色情報と一致するように色調整した場合に他の領域にそれぞれ生じる色情報の値と、前記調整用画像の色情報の理論値との差であることを特徴とする色調整方法。
【請求項２】
前記所定の一領域は、前記表示画面の中央部分の領域であることを特徴とする請求項１に記載の色調整方法。
【請求項３】
前記同一色の調整用画像は、白色の調整用画像であることを特徴とする請求項１又は２に記載の色調整方法。
【請求項４】
画像表示装置の表示画面に表示される複数の色をそれぞれ独立に調整する色調整装置において、
前記表示画面に含まれる複数の領域の各々に対して異なる色情報を有する調整用画像を出力する調整用画像出力部と、
この調整用画像出力部から出力された画像により表示された画像全体を取り込み、取り込んだ画像全体から前記各領域の色情報を検出する色情報検出部と、
この色情報検出部に検出された各領域の色情報と、対応する各領域の前記調整用画像の色情報の理論値であって所定の補正値により補正された理論値とが等しくなるように色調整を行う色調整部とを備え、
前記所定の補正値は、前記各領域間で生じる色情報の差分に相当する値であって、前記各領域のすべてに同一色の調整用画像を表示させた場合に所定の一領域を前記調整用画像の色情報と一致するように色調整した場合に他の領域にそれぞれ生じる色情報の値と、前記調整用画像の色情報の理論値との差であることを特徴とする色調整装置。
【請求項５】
前記所定の一領域は、前記表示画面の中央部分の領域であることを特徴とする請求項４に記載の色調整装置。
【請求項６】
前記同一色の調整用画像は、白色の調整用画像であることを特徴とする請求項４又は５に記載の色調整装置。
【発明の詳細な説明】
【０００１】
【発明の属する技術分野】
本発明は、パーソナルコンピュータなどの映像信号を表示する画像表示装置の色調整方法に係り、特に複数の色についてそれぞれ独立に調整可能な画像表示装置の色調整方法に関する。
【０００２】
【従来の技術】
近年、液晶モニタやノートパソコン、平面ＴＶなど液晶パネルやプラズマディスプレイを使用した表示装置が急速に普及し、市場からの要求のもと高精細化や高画質化が進んでいる。同時にマルチメディア化の流れから液晶モニタで動画を表示したときの色合い調整やプリンタで印刷した際の色合わせなどの対応をするため、従来からある３原色（赤，緑，青）を独立に調整するだけでなく、より高度な色調整機能を持つ画像表示装置が提案されている。
【０００３】
たとえば、公開特許公報（特開平１１−３０８４７２）では、赤、青、緑、イエロー、シアン、マゼンダの６つの色相と各色相間領域において特定の色相および色相間領域のみを、他の色相に影響を与えることなく調整する装置を実現している。しかし実際に異なる表示特性の液晶パネルの色合いを合わせたり、プリンタの出力画像との色合わせを行う場合において、視覚的に違和感の無い色調整を行なうには原色から中間色まで非常に多くの色、例えば５０色以上について調整を行う必要がある。
【０００４】
従来この色調整を自動化する場合は、図４に示すような方法がとられていた。この図において、制御部３１が調整用画像信号として特定の色、例えば全画面赤一色の映像信号を表示装置３２に出力する。ＲＧＢセンサ３３は画面上の色情報を検出し、Ａ／Ｄコンバータ３４でデジタル信号に変換し制御部３１に出力する。制御部３１は得られた色情報の値を理論値と比較し、同じ値になるように表示装置３２の色調整を制御する。この制御を、調整用画像信号の色を順次変えて約５０色以上について繰り返し行うことにより、異なる表示特性の液晶パネルの色合わせやプリンタの出力画像との色合わせを行う。
【０００５】
【発明が解決しようとする課題】
しかしながら、従来の色調整方法では、多数の色についての調整作業を１色ずつ順に行なっていたため、自動化しても非常に時間がかかるという問題があった。
【０００６】
本発明は、上記問題点に鑑みてなされたもので、その目的は、多数の色についての調整作業を短時間で行う色調整方法を提供することにある。
【０００７】
【課題を解決するための手段】
請求項１記載の発明は、画像表示装置の表示画面に表示される画像の複数の色に対して独立して色調整が可能な色調整方法において、前記表示画面に含まれる複数の領域の各々に対して異なる色情報を有する調整用画像を出力する調整用画像出力過程と、この調整用画像出力過程で出力された画像により表示された画像全体を取り込み、取り込んだ画像全体から前記各領域の色情報を検出する色情報検出過程と、この色情報検出過程で検出された各領域の色情報と、対応する各領域の前記調整用画像の色情報の理論値であって所定の補正値により補正された理論値とが等しくなるように色調整を行う色調整過程とを有し、前記所定の補正値は、前記各領域間で生じる色情報の差分に相当する値であって、前記各領域のすべてに同一色の調整用画像を表示させた場合に所定の一領域を前記調整用画像の色情報と一致するように色調整した場合に他の領域にそれぞれ生じる色情報の値と、前記調整用画像の色情報の理論値との差であることを特徴とする色調整方法である。
【０００８】
請求項２に記載の発明は、前記所定の一領域は、前記表示画面の中央部分の領域であることを特徴とする請求項１に記載の色調整方法である。
【０００９】
請求項３に記載の発明は、前記同一色の調整用画像は、白色の調整用画像であることを特徴とする請求項１又は２に記載の色調整方法である。
【００１０】
請求項４に記載の発明は、画像表示装置の表示画面に表示される複数の色をそれぞれ独立に調整する色調整装置において、前記表示画面に含まれる複数の領域の各々に対して異なる色情報を有する調整用画像を出力する調整用画像出力部と、この調整用画像出力部から出力された画像により表示された画像全体を取り込み、取り込んだ画像全体から前記各領域の色情報を検出する色情報検出部と、この色情報検出部に検出された各領域の色情報と、対応する各領域の前記調整用画像の色情報の理論値であって所定の補正値により補正された理論値とが等しくなるように色調整を行う色調整部とを備え、前記所定の補正値は、前記各領域間で生じる色情報の差分に相当する値であって、前記各領域のすべてに同一色の調整用画像を表示させた場合に所定の一領域を前記調整用画像の色情報と一致するように色調整した場合に他の領域にそれぞれ生じる色情報の値と、前記調整用画像の色情報の理論値との差であることを特徴とする色調整装置である。
【００１１】
請求項５に記載の発明は、前記所定の一領域は、前記表示画面の中央部分の領域であることを特徴とする請求項４に記載の色調整装置である。
【００１２】
請求項６に記載の発明は、前記同一色の調整用画像は、白色の調整用画像であることを特徴とする請求項４又は５に記載の色調整装置である。
【００１３】
【発明の実施の形態】
以下、本発明の実施の形態について図面を参照して説明する。
図１は本実施の形態による色調整装置の構成を示した図である。図１において、表示画面の複数の色に対して独立して色調整が可能な、例えば、赤、緑、青の各々独立したゲイン調整だけでなく、その中間色も独立に調整可能な画像表示装置１１と、前記画像表示装置１１の映像情報を取得するＲＧＢセンサ１２と、前記ＲＧＢセンサ１２で取得した画像を図２に示すような所定の領域、後で説明する調整用画像信号に応じた領域に分割し、上記各領域の色情報をデジタル信号に変換する色情報検出部１３と、上記画像表示装置１１に表示させる調整用画像信号を出力し、かつ上記色情報検出部１３からのデジタル信号に変換された各領域の色情報の値と当該各領域に対応する調整用画像信号の色情報の理論値とが等しくなるように画像表示装置１１の色調整を制御する制御部１４とから構成される。
【００１４】
次に、本発明の実施の形態による色調整方法の動作を、図３を参照して詳細に説明する。図３は本実施の形態による色調整方法の動作を示したフローチャートである。
まず制御部１４は調整用画像信号として全画面が単一色、例えば全画面白色の画像信号を出力して画像表示装置１１に表示させる（ステップＳ１）。色情報検出部１３はＲＧＢセンサ１２で取得した画像表示装置１１の表示画面に表示された画像を所定の領域、例えば図２に示すようなｍ画素×ｎラインで示される領域、この図の場合は２５の領域に分割し、各領域の色情報をデジタル信号に変換する（ステップＳ２）。制御部１４は実用において最も重要な上記表示画面の中央部分の領域、例えば図２の領域Ｃの部分の色情報が、調整用画像信号の白色と等しい色情報（理論値）となるように画像表示装置１１の色調整を制御する（ステップＳ３）。上記色調整の制御完了後、再度色情報検出部１３により各領域の色情報を測定し（ステップＳ４）、制御部１４は各領域の色情報と上記調整用画像信号の色情報（調整用画像信号本来の色情報（色温度））との差（色ずれ）の算出を行ない、当該算出された値を各領域の補正値として保持する（ステップＳ５）。次に制御部１４は調整用画像信号として上記各領域ごとに異なる色を出力して画像表示装置１１に表示させる（ステップＳ６）。色情報検出部１３は上記ステップＳ２の動作と同様に各領域の色情報をデジタル信号に変換して制御部１４に出力する（ステップＳ７）。制御部１４は各領域の色情報の値とと、当該領域に対応する調整用画像信号の色情報の理論値を上記補正値で補正した値とが等しくなるように、画像表示装置１１の色調整を制御する（ステップＳ８）。すべての領域についてステップＳ８の動作を繰り返して調整作業を完了する（ステップＳ９）。
【００１５】
また、ステップＳ３において、画面中央部を理論値（最適）に調整するのではなく、各領域の理論値と差（色ずれ）を小さくする、例えば各領域の色ずれの平均値を最小にしたり、各領域の色ずれの値の最大値を小さくするように制御部１４が画像表示装置１１の色調整を制御することにより、ユーザに色ずれを感じさせることを低減する効果が得られる。
【００１６】
【発明の効果】
以上説明したように、本発明の画像表示装置の色調整方法によれば、多数の色についての色調整を、表示画面の色ずれの補正を含み、短時間で行うことができる。
【図面の簡単な説明】
【図１】  本実施の形態による色調整装置の構成を示すブロック図である。
【図２】  本実施の形態による表示画面の各領域の態様を示す図ある。
【図３】  本実施の形態による色調整方法の動作を示したフローチャートである。
【図４】  従来技術による画像表示装置の色調整方法が適用されたシステムの構成図である。
【符号の説明】
１１  画像表示装置
１２  ＲＧＢセンサ
１３  色情報検出部
１４  制御部
【図１】
0003973827.tif 000002
【図２】
0003973827.tif 000003
【図３】
0003973827.tif 000004
【図４】
0003973827.tif 000005